(57)【要約】少なくとも一方がスライド移動可能とされた一対のスクリーン取付け枠部間にスクリーンが収縮および展開自在に配設され、スクリーンの横引き開閉が可能とされ、スクリーン取付け枠部の上端部を覆ってスクリーン取付け枠部をガイドする上ガイド枠を備え、スクリーン取付け枠部は、上端部に、突起もしくは溝から形成される倒れ止めガイド部を有し、上ガイド枠は、内側に、倒れ止めガイド部を係止することによってスクリーン取付け枠部の上端部が上ガイド枠から外れるのを防止するガイドレール突起部を有している。【特許請求の範囲】
【請求項１】
少なくとも一方がスライド移動可能とされた一対のスクリーン取付け枠部間にスクリーンが収縮および展開自在に配設され、スクリーンの横引き開閉が可能とされ、スクリーン取付け枠部の上端部を覆ってスクリーン取付け枠部をガイドする上ガイド枠を備えたスクリーン装置において、スクリーン取付け枠部は、上端部に、突起もしくは溝から形成される倒れ止めガイド部を有し、上ガイド枠は、内側に、倒れ止めガイド部を係止することによってスクリーン取付け枠部の上端部が上ガイド枠から外れるのを防止するガイドレール突起部を有していることを特徴とするスクリーン装置。
【請求項２】
上ガイド枠の対向する２つの垂下壁部の内、少なくとも一方が弾性を有し、弾性を有する垂下壁部は、スクリーン取付け枠部の上端部を上ガイド枠内へ差し込む際に、外側に開く請求項１記載のスクリーン装置。
【請求項３】
ガイドレール突起部の一部が切り欠かれ、切欠部からスクリーン取付け枠部の上端部の上ガイド枠内への差し込みが可能とされている請求項１記載のスクリーン装置。
【請求項４】
上ガイド枠の垂下壁部の一部が切り欠かれ、切欠部からスクリーン取付け枠部の上端部の上ガイド枠内への差し込みが可能とされている請求項１記載のスクリーン装置。
【請求項５】
上ガイド枠は、隙間を設けて配置され、隙間よりスクリーン取付け枠部の上端部の上ガイド枠内への差し込みが可能とされている請求項１記載のスクリーン装置。
【請求項６】
複数の上ガイド枠が隙間を介して配置され、隙間にキャップ部材が取り付けられている請求項１ないし５のいずれか１項に記載のスクリーン装置。
【請求項７】
隙間とキャップ部材は、引き分け型のスクリーン装置の召し合わせ位置に配置され、キャップ部材の内側には、召し合わせ位置にストッパー部が設けられている請求項６記載のスクリーン装置。
【請求項８】
スクリーンが配設された一対のスクリーン取付け枠部の両方がスライド移動可能とされ、少なくともいずれか一方のスクリーン取付け枠部が、異なるスクリーン装置においてスライド移動可能とされたスクリーン取付け枠部とコネクタを介して連結されている請求項１ないし７のいずれか１項に記載のスクリーン装置。
【請求項９】
スクリーンは、折りたたみと展開が自在とされたプリーツネット体である請求項１ないし８のいずれか１項に記載のスクリーン装置。
【発明の詳細な説明】
【技術分野】  本願発明は、カーテン、ブラインド、網戸、間仕切り等として有用なスクリーン装置に関するものである。
【背景技術】  従来、カーテン、ブラインド等の遮へいや調光の手段として、あるいは網戸、間仕切り等として各種の機構を備えたスクリーン装置が開発され、実用化されている。
このようなスクリーン装置として、プリーツ加工によって布地やシート、あるいはネットの折りたたみと展開を自在としたスクリーン装置が本出願人により開発され、全く新しいスクリーン装置として注目されている。
この装置では、たとえば図１６に示したように、少なくとも一方がスライド移動可能とされた一対のスクリーン取付け枠部１、１間にスクリーン２がプリーツ加工により収縮および展開自在とされて配設され、スクリーン取付け枠部１のスライド移動によってスクリーン２の開閉が可能とされている。この装置においては、スクリーン２は、スクリーン取付け枠部１、１間に配設したワイヤーによって自立性が保たれている。
そして、上記のスクリーン装置では、スクリーン取付け枠部１のスライドをガイドする部材として上ガイド枠３が設けられ、上ガイド枠３はスクリーン取付け枠部１の上端部を覆っている。
また、本出願人は、スクリーンの開閉をさらにスムーズに、しかも安定して行うことを可能とするスクリーン装置を開発し、実用化してきている。
この装置では、たとえば図１７および図１８に示したように、スクリーン取付け枠部１の上端部を上ガイド枠３が覆ってスクリーン取付け枠部１のスライド移動をガイドする一方、スライドガイド枠部５が設けられている。スライドガイド枠部５は、一端部がいずれか一方のスクリーン取付け枠部１に固定され、他端部が他方のスクリーン取付け枠部１の内部へ屈曲して出入り自在となっている。スライドガイド枠部５としては、たとえば側壁部６ａと架橋部６ｂとを有する剛性ユニット６が連設され、いわゆるキャピター様の構成を有するものとすることができる。下方のスライドガイド枠部５はレール７に沿ってスライドするようにすることができる。このような剛性ユニット６の連設により形成されるスライドガイド枠部５は、屈曲性とともに剛性を有し、スクリーン２の円滑で安定した開閉を可能としている。
【発明の開示】
本出願人が開発し、実用化してきている上記の通りのスクリーン装置は、プリーツ加工により収縮および展開自在としたスクリーンをスムーズに、しかも安定して開閉可能としたことにおいて画期的なものである。そして、本出願人によるその後のさらなる技術的改良の検討の過程において、その特長をさらに顕著なものとし、装置としての安定性や施工性をさらに向上させるための課題が明らかになってきた。
たとえばこれまでのスクリーン装置では、図１８からも明らかなように、スクリーン取付け枠部１の上端部を上ガイド枠３が覆ってはいるものの、強風や人体の接触によりスクリーン２あるいはスクリーン取付け枠部１に大きな外力が加わる場合、スクリーン取付け枠部１が傾き、スクリーン取付け枠部１の上端部が上ガイド枠３から外れ、倒れてしまうという不都合が生じかねない。
また、傾倒後の修復や新設において、上ガイド枠３内へのスクリーン取付け枠部１の上端部の挿入は、スクリーン装置が大型になるほど、重量と大きさから必ずしも容易ではなくなる。
そこで、本願発明は、このような課題を解消し、スクリーン取付け枠部の上端部の上ガイド枠からの脱落を防止し、大型のスクリーン装置であっても、上ガイド枠内へのスクリーン取付け枠部の上端部の挿入作業を容易とすることのできる、新しいスクリーン装置を提供することを課題としている。
本願発明のスクリーン装置は、上記の課題を解決するために、以下のことを特徴としている。
（１）少なくとも一方がスライド移動可能とされた一対のスクリーン取付け枠部間にスクリーンが収縮および展開自在に配設され、スクリーンの横引き開閉が可能とされ、スクリーン取付け枠部の上端部を覆ってスクリーン取付け枠部をガイドする上ガイド枠を備えたスクリーン装置において、スクリーン取付け枠部は、上端部に、突起もしくは溝から形成される倒れ止めガイド部を有し、上ガイド枠は、内側に、倒れ止めガイド部を係止することによってスクリーン取付け枠部の上端部が上ガイド枠から外れるのを防止するガイドレール突起部を有している。
（２）上ガイド枠の対向する２つの垂下壁部の内、少なくとも一方が弾性を有し、弾性を有する垂下壁部は、スクリーン取付け枠部の上端部を上ガイド枠内へ差し込む際に、外側に開く。
（３）ガイドレール突起部の一部が切り欠かれ、切欠部からスクリーン取付け枠部の上端部の上ガイド枠内への差し込みが可能とされている。
（４）上ガイド枠の垂下壁部の一部が切り欠かれ、切欠部からスクリーン取付け枠部の上端部の上ガイド枠内への差し込みが可能とされている。
（５）上ガイド枠は、隙間を設けて配置され、隙間よりスクリーン取付け枠部の上端部の上ガイド枠内への差し込みが可能とされている。
（６）複数の上ガイド枠が隙間を介して配置され、隙間にキャップ部材が取り付けられている。
（７）隙間とキャップ部材は、引き分け型のスクリーン装置の召し合わせ位置に配置され、キャップ部材の内側には、召し合わせ位置にストッパー部が設けられている。
（８）スクリーンが配設された一対のスクリーン取付け枠部の両方がスライド移動可能とされ、少なくともいずれか一方のスクリーン取付け枠部が、異なるスクリーン装置においてスライド移動可能とされたスクリーン取付け枠部とコネクタを介して連結されている。
（９）スクリーンは、折りたたみと展開が自在とされたプリーツネット体である。
上記の通りの（１）の特徴を有する本願発明によれば、倒れ止めガイド部がガイドレール突起部により係止されることによって、スクリーン取付け枠部の上端部が上ガイド枠から外れ、脱落するのを防止することができる。
（２）（３）（４）（５）の特徴を有する本願発明によれば、大型のスクリーン装置であっても、上ガイド枠内へのスクリーン取付け枠部の上端部の挿入作業が容易となる。
（６）の特徴を有する本願発明によれば、大開口部に設置される大型のスクリーン装置であっても、複数の隙間よりスクリーン取付け枠部の上端部の挿入が可能となり、しかもキャップ部材によって、上ガイド枠の軸線にズレが生じていても、スクリーン取付け枠部のスライド移動に大きな支障が生じることはなく、外観が目障りなものとなることはない。
（７）の特徴を有する本願発明によれば、キャップ部材に備えたストッパー部により、引き分け型のスクリーン装置の召し合わせ位置が正確に設定され、外観性、そして安定性に優れたスクリーン装置が実現される。
（８）の特徴を有する本願発明によれば、以上の効果を奏する大開口部用のスクリーン装置が実現される。
（９）の特徴を有する本願発明によれば、以上の効果を奏する網戸が提供される。
【図面の簡単な説明】  図１は、本願発明のスクリーン装置の一実施形態の概要を示した側断面図である。
図２は、図１に示したスクリーン装置におけるスクリーン取付け枠部の上ガイド枠３からの脱落防止について示した要部側断面図である。
図３Ａ、Ｂは、それぞれ、倒れ止めガイド部とガイドレール突起部の別の形態を示した要部側断面図である。
図４Ａ、Ｂは、それぞれ、倒れ止めガイド部とガイドレール突起部の別の形態を示した要部側断面図である。
図５は、上ガイド枠の一形態をスクリーン取付け枠部の上端部の挿入とともに示した要部断面図である。
図６は、上ガイド枠の別の形態を示した要部斜視図である。
図７は、上ガイド枠の別の形態を示した要部斜視図である。
図８は、上ガイド枠の別の形態とキャップ部材を例示した概要図である。
図９は、隙間を設けないときに上ガイド枠の連結で起こり得る問題点を示した概要図である。
図１０は、キャップ部材による上ガイド枠の連結を示した要部底面図である。
図１１は、キャップ部材にストッパー部を設けた例の概要を示した切欠正面図である。
図１２は、ストッパー部が配設されたキャップ部材を示した側面図である。
図１３は、ユニット化されたスクリーン装置を連結して構成した片開き式のスクリーン装置の収縮状態を示した水平断面図である。
図１４は、図１３に示したスクリーン装置の展開状態を示した水平断面図である。
図１５は、引き分け型の両開き式のスクリーン装置の要部水平断面図である。
図１６は、本出願人が開発、実用化したスクリーン装置を示した切欠正面図である。
図１７は、本出願人が開発、実用化した別のスクリーン装置を例示した切欠正面図である。
図１８は、図１７に示したスクリーン装置の側断面図である。
【発明を実施するための最良の形態】  図１に示したスクリーン装置では、少なくとも一方がスライド移動可能とされた一対のスクリーン取付け枠部１、１間にスクリーン２が収縮および展開自在に配設され、スクリーン１の横引き開閉が可能とされている。また、スクリーン取付け枠部１の上端部を覆うように上ガイド枠３が配設され、上ガイド枠３はスクリーン取付け枠部１をガイドする。
そして、図１に示したスクリーン装置では、スクリーン取付け枠部１は、上端部に、突起もしくは溝から形成される倒れ止めガイド部１１を有し、上ガイド枠３は、内側に、倒れ止めガイド部１１を係止することによってスクリーン取付け枠部１の上端部が上ガイド枠３から外れるのを防止するガイドレール突起部３１を有している。倒れ止めガイド部１１は、たとえば、スクリーン取付け枠部１の幅より大きな幅を有する突起等とすることができ、スクリーン取付け枠部１の上端部に設けることができる。
上ガイド枠３は、窓や出入口等の開口部の上桟や天井面等に固定されるものとすることができ、スクリーン取付け枠部１の下端部は、各種の形状、構造を有するレール７によって、下桟や床面に対して所定方向にスライド移動するようにすることができる。
スクリーン取付け枠部１やスクリーン２に強風や人体の接触により大きな外力が作用し、スクリーン取付け枠部１が傾いたとしても、図１に示したスクリーン装置では、たとえば図２に示したように、倒れ止めガイド部１１が、ガイドレール突起部３１に係止され、スクリーン取付け枠部１は吊下げられた状態になり、スクリーン取付け枠部１が上ガイド枠３から外れて脱落することはない。図２に示した状態にあれば、スクリーン取付け枠部１の傾きを修正し、スクリーン装置を所定の状態に容易に回復することができる。
なお、倒れ止めガイド部１１は、樹脂あるいは金属の成形品としてスクリーン取付け枠部１の上端部に固定することができ、ガイドレール突起部３１は、上ガイド枠３に樹脂成形品として一体に設けたり、その他の適宜な手段で配設したりすることができる。
また、倒れ止めガイド部１１とガイドレール突起部３１の形状や配置も様々な形態であってよく、たとえば図３Ａ、Ｂに示したように、断面が左右対称の形状でも、あるいは図４Ａ、Ｂに示したように、断面が左右非対称の形状であってもよい。図３Ａに示した倒れ止めガイド部１１は、断面略Ｃ字型のチャンネルを形成し、スクリーン取付け枠部１の上端部に一体に設けられている。上ガイド枠３には内側に垂下片が設けられ、この垂下片にガイドレール突起部３１が水平に接続されている。垂下片およびガイドレール突起部３１は上ガイド枠３に一体に設けられている。ガイドレール突起部３１は倒れ止めガイド部１１の内部に配置されている。図３Ｂに示した倒れ止めガイド部１１は、断面略Ｔ字型の形状を有し、スクリーン取付け枠部１に上端部に一体に設けられている。図４Ａに示した倒れ止めガイド部１１は、断面コ字型の溝を形成し、スクリーン取付け枠部１の上端部に一体に設けられている。ガイドレール突起部３１は、その断面コ字型の溝に入り込めるように上ガイド枠３の片側の内面から水平に突出している。図４Ｂに示した倒れ止めガイド部１１は、スクリーン取付け枠部１の上端部の片側から外方に水平に延設されている。ガイドレール突起部３１は、上ガイド枠３の片側の内面から水平に突出している。
以上のような倒れ止めガイド部１１とガイドレール突起部３１とは、スクリーン取付け枠部１の上ガイド枠３からの脱落を防止するが、スクリーン装置の施工時等においては、上ガイド枠３内にスクリーン取付け枠部１の上端部を挿入することが難しくなることもある。
そこで、図５に示したスクリーン装置では、上ガイド枠３の対向する２つの垂下壁部３２の内、少なくとも一方が弾性を有し、スクリーン取付け枠部１の上端部を上ガイド枠３内に差し込む際に垂下壁部３２が外側に開き、開いた後に弾性によって元の形状に戻るようにしている。
たとえば、垂下壁部３２を樹脂製で弾性のあるものとし、ガイドレール突起部３１、３１間の幅を倒れ止めガイド部１１の幅よりも狭くしておく。スクリーン取付け枠部１の上端部を上ガイド枠３内に挿入する際、倒れ止めガイド部１１の左右両端をガイドレール突起部３１に下方より押し当てると、倒れ止めガイド部１１から垂下壁部３２を押し広げるように力が作用し、この力を受けて垂下壁部３２は外側に開き、スクリーン取付け枠部１の進入を可能にする。倒れ止めガイド部１１がガイドレール突起部３１に乗り上がると、垂下壁部３２は、弾性によって内側に復帰し、スクリーン取付け枠部１の上端部が上ガイド枠３内に挿入される。なお、垂下壁部３２の外側への開きを容易とするために、倒れ止めガイド部１１およびガイドレール突起部３１が接触する面は、図５に示したように、円弧状等の湾曲面にしておくのが好ましい。
図６に示したスクリーン装置では、上ガイド枠３内にスクリーン取付け枠部１の上端部を挿入するための作業を容易とするために、ガイドレール突起部３１の一部が切り欠かれ、切欠部３３から、倒れ止めガイド部１１を備えたスクリーン取付け枠部１の上端部を上ガイド枠３内に差し込むことができるようにしている。
図７に示したスクリーン装置では、上ガイド枠３の垂下壁部３２の一部が切り欠かれ、切欠部３４より、倒れ止めガイド部１１を備えたスクリーン取付け枠部１の上端部を上ガイド枠３内に容易に差し込むことができるようにしている。
図８に示したスクリーン装置では、上ガイド枠３を、隙間３５を設けて配置している。隙間３５は、上ガイド枠３の途中に、あるいは上ガイド枠３と壁面や縦桟等との間に設けることができる。そして、図８に示したスクリーン装置では、隙間３５より、倒れ止めガイド部１１を備えたスクリーン取付け枠部１の上端部を上ガイド枠３内に容易に差し込むことができるようにしている。
なお、隙間３５は、スクリーン取付け枠部１の上端部の上ガイド枠３内への挿入のために有効なだけでなく、大きな開口部にスクリーン装置を設置するのに好適ともなる。大開口部にスクリーン装置を設置する場合、上ガイド枠３には長尺のものが必要とされるが、施工性、輸送性等を考慮すると、いくつかに分割したものを連結することが好ましい。その場合、スクリーン取付け枠部１のスムーズで安定したスライド移動と外観意匠性との観点からは、図９に示したように、分割した上ガイド枠３ａ、３ｂの端部を相互に突き合わせたとき、長尺方向の軸線３０ａ、３０ｂにズレが生じたり、端面において隙間３０ｃが生じたりしないような高い精度での施工が必要となる。だが、実際には、そのような高精度の現場施工は容易ではない。
そこで、図８に示したスクリーン装置のように、上ガイド枠３に比較的大きな隙間３５を設ける。この比較的大きな隙間３５によって、仮に軸線３０ａ、３０ｂのズレや端面の隙間３０ｃが生じても、スクリーン取付け枠部１のスライド移動にはあまり問題とならず、視覚的に目障りとはならない。スクリーン取付け枠部１のよりスムーズで安定したスライド移動、そして意匠性の点からは、隙間３５を複数配置し、各隙間３５に、図８に示したようなキャップ部材８を取り付けることが有効である。
キャップ部材８は垂下壁部８２を有し、垂下壁部８２には内側にガイドレール突起部８１が設けられている。上ガイド枠３と同様に、キャップ部材８は、スライド移動するスクリーン取付け枠部１の脱落、傾倒を防止することができるようにしている。垂下壁部８２の両側端には、上ガイド枠３の端部表面に重なる舌片部８３が設けられている。図１０に例示したように、舌片部８３によって、キャップ部材８は確実に隙間３５に装着され、上ガイド枠３ａ、３ｂの軸線にズレが生じたとしても、キャップ部材８によるガイド作用によって、スムーズにかつ安定したスクリーン取付け枠部１のスライド移動を可能とする。
このようなキャップ部材８は、図１１および図１２に示したように、引き分け型のスクリーン装置９ａ、９ｂでは、その召し合わせ位置９ｃに配置され、この場合、キャップ部材８の内側の召し合わせ位置９ｃにストッパー部８４を設けることが有効である。
ストッパー部８４の存在によって、引き分け型スクリーン装置９ａ、９ｂにおいてスライド移動可能なスクリーン取付け枠部１は、所定の召し合わせ位置９ｃで停止する。召し合せ位置９ｃでのスクリーン取付け枠部１の停止は、スクリーン装置のスライド移動にともなう負荷、すなわち過大な開閉距離等によりスクリーン２に生じる不都合を未然に防止することができる。
そして、本願発明のスクリーン装置は、スクリーンが配設された一対のスクリーン取付け枠部１の両方がスライド移動可能とされ、少なくともいずれか一方のスクリーン取付け枠部１が、異なるスクリーン装置においてスライド移動可能とされたスクリーン取付け枠部１とコネクタを介して連結されたスクリーン装置とすることもできる。この建設型スクリーン装置は、収縮状態を例示した図１３Ａ、Ｂ、展開状態を例示した図１４に示されるように、ユニット化された複数のスクリーン装置ａ、ｂ、ｃにおいて、隣接配置されるスクリーン取付け枠部１同士のコネクタ１０を介した連結によって構成されている。
このようなスクリーン装置は、図１３および図１４に示した片開き式のスクリーン装置、あるいは図１５に示した引き分け型の両開き式のスクリーン装置を実現することができる。２０は、スクリーン取付け枠部１を固定するマグネットである。
いずれのスクリーン装置の場合も、スクリーン取付け枠部１の上ガイド枠３からの外れを防止し、大型のスクリーン装置であっても、上ガイド枠３内へのスクリーン取付け枠部１の上端部の挿入作業を容易とすることができる。
また、本願発明のスクリーン装置において、スクリーン２には、折りたたみと展開とが自在とされたプリーツネット体が代表例として挙げられるが、スクリーン２はプリーツネット体に限定されることなく、布地やシート等のプリーツ体であってもよい。さらに、スクリーン装置は、巻込みおよび引出し自在とした回転ロールを組み込んだものとすることもできる。
【産業上の利用可能性】  スクリーン装置において、スクリーン取付け枠部の上端部の上ガイド枠からの外れが防止され、大型のスクリーン装置であっても、上ガイド枠内へのスクリーン取付け枠部の上端部の挿入作業が容易となる。
【図１】
2006025582.tif 000002
【図２】
2006025582.tif 000003
【図３】
2006025582.tif 000004
【図４】
2006025582.tif 000005
【図５】
2006025582.tif 000006
【図６】
2006025582.tif 000007
【図７】
2006025582.tif 000008
【図８】
2006025582.tif 000009
【図９】
2006025582.tif 000010
【図１０】
2006025582.tif 000011
【図１１】
2006025582.tif 000012
【図１２】
2006025582.tif 000013
【図１３】
2006025582.tif 000014
【図１４】
2006025582.tif 000015
【図１５】
2006025582.tif 000016
【図１６】
2006025582.tif 000017
【図１７】
2006025582.tif 000018
【図１８】
2006025582.tif 000019
【手続補正書】
【提出日】平成18年3月17日(2006.3.17)
【手続補正１】
【補正対象書類名】特許請求の範囲
【補正対象項目名】請求項１
【補正方法】変更
【補正の内容】
【請求項１】少なくとも一方がスライド移動可能とされた一対のスクリーン取付け枠部間にスクリーンが収縮および展開自在に配設され、スクリーンの横引き開閉が可能とされ、スクリーン取付け枠部の上端部を覆ってスクリーン取付け枠部をガイドする上ガイド枠を備えたスクリーン装置において、スクリーン取付け枠部は、上端部に、突起もしくは溝から形成される倒れ止めガイド部を有し、上ガイド枠は、内側に、スクリーン取付け枠部が傾いたときに倒れ止めガイド部を係止することによってスクリーン取付け枠部の上端部が上ガイド枠から外れるのを防止するガイドレール突起部を有していることを特徴とするスクリーン装置。
【手続補正２】
【補正対象書類名】明細書
【補正対象項目名】０００２
【補正方法】変更
【補正の内容】
【０００２】
ド枠部５は、一端部がいずれか一方のスクリーン取付け枠部１に固定され、他端部が他方のスクリーン取付け枠部１の内部へ屈曲して出入り自在となっている。スライドガイド枠部５としては、たとえば側壁部６ａと架橋部６ｂとを有する剛性ユニット６が連設され、いわゆるキャタピラー様の構成を有するものとすることができる。下方のスライドガイド枠部５はレール７に沿ってスライドするようにすることができる。このような剛性ユニット６の連設により形成されるスライドガイド枠部５は、屈曲性とともに剛性を有し、スクリーン２の円滑で安定した開閉を可能としている。
【発明の開示】
本出願人が開発し、実用化してきている上記の通りのスクリーン装置は、プリーツ加工により収縮および展開自在としたスクリーンをスムーズに、しかも安定して開閉可能としたことにおいて画期的なものである。そして、本出願人によるその後のさらなる技術的改良の検討の過程において、その特長をさらに顕著なものとし、装置としての安定性や施工性をさらに向上させるための課題が明らかになってきた。
たとえばこれまでのスクリーン装置では、図１８からも明らかなように、スクリーン取付け枠部１の上端部を上ガイド枠３が覆ってはいるものの、強風や人体の接触によりスクリーン２あるいはスクリーン取付け枠部１に大きな外力が加わる場合、スクリーン取付け枠部１が傾き、スクリーン取付け枠部１の上端部が上ガイド枠３から外れ、倒れてしまうという不都合が生じかねない。
また、傾倒後の修復や新設において、上ガイド枠３内へのスクリーン取付け枠部１の上端部の挿入は、スクリーン装置が大型になるほど、重量と大きさから必ずしも容易ではなくなる。
そこで、本願発明は、このような課題を解消し、スクリーン取付け枠部の上端部の上ガイド枠からの脱落を防止し、大型のスクリーン装置であっても、上ガイド枠内へのスクリーン取付け枠部の上端部の挿入作業を容易とすることのできる、新しいスクリーン装置を提供することを課題としている。
本願発明のスクリーン装置は、上記の課題を解決するために、以下のことを特
２
【手続補正３】
【補正対象書類名】明細書
【補正対象項目名】０００３
【補正方法】変更
【補正の内容】
【０００３】
徴としている。
（１）少なくとも一方がスライド移動可能とされた一対のスクリーン取付け枠部間にスクリーンが収縮および展開自在に配設され、スクリーンの横引き開閉が可能とされ、スクリーン取付け枠部の上端部を覆ってスクリーン取付け枠部をガイドする上ガイド枠を備えたスクリーン装置において、スクリーン取付け枠部は、上端部に、突起もしくは溝から形成される倒れ止めガイド部を有し、上ガイド枠は、内側に、スクリーン取付け枠部が傾いたときに倒れ止めガイド部を係止することによってスクリーン取付け枠部の上端部が上ガイド枠から外れるのを防止するガイドレール突起部を有している。
（２）上ガイド枠の対向する２つの垂下壁部の内、少なくとも一方が弾性を有し、弾性を有する垂下壁部は、スクリーン取付け枠部の上端部を上ガイド枠内へ差し込む際に、外側に開く。
（３）ガイドレール突起部の一部が切り欠かれ、切欠部からスクリーン取付け枠部の上端部の上ガイド枠内への差し込みが可能とされている。
（４）上ガイド枠の垂下壁部の一部が切り欠かれ、切欠部からスクリーン取付け枠部の上端部の上ガイド枠内への差し込みが可能とされている。
（５）上ガイド枠は、隙間を設けて配置され、隙間よりスクリーン取付け枠部の上端部の上ガイド枠内への差し込みが可能とされている。
（６）複数の上ガイド枠が隙間を介して配置され、隙間にキャップ部材が取り付けられている。
（７）隙間とキャップ部材は、引き分け型のスクリーン装置の召し合わせ位置に配置され、キャップ部材の内側には、召し合わせ位置にストッパー部が設けられている。
（８）スクリーンが配設された一対のスクリーン取付け枠部の両方がスライド移動可能とされ、少なくともいずれか一方のスクリーン取付け枠部が、異なるスクリーン装置においてスライド移動可能とされたスクリーン取付け枠部とコネクタを介して連結されている。
（９）スクリーンは、折りたたみと展開が自在とされたプリーツネット体である。
上記の通りの（１）の特徴を有する本願発明によれば、倒れ止めガイド部がガイドレール突起部により係止されることによって、スクリーン取付け枠部の上端
３／１
【国際調査報告】
2006025582.tif 000020
2006025582.tif 000021
2006025582.tif 000022
2006025582.tif 000023